(57)【特許請求の範囲】
【請求項１】
センサから検知情報を取得する情報取得部と、
クライアント端末との間で無線通信を行う無線通信部と、
前記無線通信部を介してクライアント端末から帰属要求を受信し、前記クライアント端末を帰属させる帰属処理を実施する帰属処理部であって、前記検知情報に基づいて前記クライアント端末の帰属の可否を決定する帰属処理部と、
前記検知情報に基づいて、前記無線通信部の送信出力を制御する送信出力制御部とを備える無線ネットワーク装置。
【請求項２】
前記検知情報は、前記クライアント端末の移動方向及び移動状態の少なくとも一方を含む請求項１に記載の無線ネットワーク装置。
【請求項３】
前記帰属処理部は、前記帰属処理を行った後、前記検知情報に基づいて前記クライアント端末の帰属先を変更させるか否を決定する請求項１又は２に記載の無線ネットワーク装置。
【請求項４】
前記無線通信部は、帰属済みのクライアント端末に対して第１の送信出力で無線信号を送信し、
前記送信出力制御部は、前記検知情報に基づいて、前記帰属要求を送信したクライアント端末に送信される無線信号の送信出力を、前記第１の送信出力よりも低い第２の送信出力に制御する請求項３に記載の無線ネットワーク装置。
【請求項５】
前記送信出力制御部は、前記帰属処理部が前記クライアント端末の帰属先を変更させると決定すると、当該クライアント端末に送信する無線信号の送信出力を、前記第１の送信出力よりも低い第３の送信出力に制御する請求項４に記載の無線ネットワーク装置。
【請求項６】
前記送信出力制御部は、前記帰属処理部が前記クライアント端末の帰属先を変更させると決定すると、当該クライアント端末と前記無線通信部との間の通信を切断させる請求項３又は４に記載の無線ネットワーク装置。
【請求項７】
前記送信出力制御部は、前記クライアント端末が前記無線通信部との間でデータ通信中であるか否かを調べ、データ通信中でない場合に前記通信を切断させる請求項６に記載の無線ネットワーク装置。
【請求項８】
センサと、
それぞれが、帰属したクライアントと端末との間で無線信号の送受信を行う無線通信部を有する第１の無線ネットワーク装置及び第２の無線ネットワーク装置とを備え、
前記第１の無線ネットワーク装置又は前記第２の無線ネットワーク装置の一方は、前記センサから取得された検知情報に基づいてクライアント端末を自装置に帰属させると決定し、かつ前記無線通信部から前記クライアント端末に送信される無線信号の送信出力を前記検知情報に基づいて制御する無線ネットワークシステム。
【請求項９】
前記第１の無線ネットワーク装置又は前記第２の無線ネットワーク装置の一方は、前記クライアント端末を帰属させた後、前記検知情報に基づいて前記クライアント端末の帰属先を前記第１の無線ネットワーク装置又は前記第２の無線ネットワーク装置の他方に変更させるか否を決定する請求項８に記載の無線ネットワークシステム。
【請求項１０】
センサから検知情報を取得するステップと、
クライアント端末との間で無線通信を行う無線通信部を介してクライアント端末から帰属要求を受信するステップと、
前記検知情報に基づいて前記クライアント端末の帰属の可否を決定するステップと、
前記クライアント端末を帰属させると決定した場合に、前記検知情報に基づいて、前記無線通信部から前記クライアント端末に送信される無線信号の送信出力を制御するステップとを有する無線ネットワーク装置の制御方法。
【発明の詳細な説明】
【技術分野】
【０００１】
本発明は、無線ネットワーク装置及びその制御方法に関し、更に詳しくはクライアント端末と無線通信を行う無線ネットワーク装置、及びそのような無線ネットワーク装置の制御方法に関する。また、本発明は、複数の無線ネットワーク装置を含む無線ネットワークシステムに関する。
【背景技術】
【０００２】
現在、ホテル、カフェ、又は飲食店などでは、サービスの一環としてインターネットへの接続サービスが提供されている。例えばカフェなどの店舗には無線ＬＡＮ（local area network）アクセスポイント装置が設置されており、その店舗を利用する客（ユーザ）は、無料でネットワークに接続できるサービスを利用することができる。店舗は、そのようなサービスの提供を通じて、ユーザに対して付加価値サービスを提供することができ、店舗への集客効果が期待できる。
【０００３】
無線ＬＡＮアクセスポイント装置に関して、特許文献１は、人感センサを有する無線ＬＡＮアクセスポイント装置を開示する。特許文献１に記載の無線ＬＡＮアクセスポイント装置は、人感センサに反応がない場合、つまり人が存在しない場合はスリープ状態に設定される。また、無線ＬＡＮアクセスポイント装置は、人感センサに反応がある場合、つまり人が存在する場合は、スリープ状態が解除される。人が存在しない場合にスリープ状態に設定されることで、望まれない第三者が無線ＬＡＮアクセスポイント装置に接続することを抑止でき、セキュリティが向上できる。また、無線ＬＡＮアクセスポイント装置はスリープ状態に設定されている間は低消費電力で動作するため、省電力化も実現できる。
【０００４】
また、無線ＬＡＮアクセスポイント装置に関して、特許文献２は、セキュリティを向上した無線ＬＡＮアクセスポイント装置を開示する。特許文献２に記載の無線ＬＡＮアクセスポイント装置は、ネットワークと無線ＬＡＮ端末（無線ＬＡＮクライアント）との間のデータを中継する。この無線ＬＡＮアクセスポイント装置は、無線ＬＡＮ端末から帰属処理に関わるコマンドを含むパケットを受信する。
【０００５】
特許文献２では、無線ＬＡＮアクセスポイント装置は、そのパケットの受信電波強度があらかじめ定められた受信強度以上の場合、無線ＬＡＮ端末への応答パケットを送信する。このとき、無線ＬＡＮアクセスポイント装置は、応答パケットの送信を通常よりも低い電波出力（送信出力）で実施する。このようにすることで、暗号鍵や電子証明書などのセキュリティ情報が低い送信出力で伝達されることになる。また、無線ＬＡＮ端末が無線ＬＡＮアクセスポイント装置に接近しない限りセキュリティ情報が送出されないため、セキュリティ性の高い無線ＬＡＮアクセスが実現可能である。
【先行技術文献】
【特許文献】
【０００６】
【特許文献１】特開２０１４−１７６０３１号公報
【特許文献２】特開２００８−１０３８１７号公報
【発明の概要】
【発明が解決しようとする課題】
【０００７】
特許文献１の無線ＬＡＮアクセスポイント装置は、人が存在しない場合はスリープ状態に設定され、人が存在する場合はスリープ状態が解除されるだけである。特許文献１では、人の存在の有無に応じて帰属の可否が判断されているわけではなく、スリープ状態が解除されていれば、無線信号の届く範囲内において不特定多数の無線ＬＡＮ端末が無線ＬＡＮアクセスポイント装置に接続可能である。
【０００８】
特許文献２の無線ＬＡＮアクセスポイント装置は、無線ＬＡＮ端末から送信される無線信号の強度が一定以上の場合に、応答パケットを通常よりも低い送信出力で送信して帰属処理を開始する。このようにすることで、無線ＬＡＮアクセスポイント装置は、その設置場所を中心として、そこから一定の距離以内に存在する無線ＬＡＮ端末に対して接続を許可することができる。
【０００９】
しかしながら、特許文献２では、単に無線ＬＡＮアクセスポイント装置と無線ＬＡＮ端末との距離に応じて送信出力が制御されるだけである。例えば、無線ＬＡＮ端末は移動し続ける場合もあり、特許文献２に記載の無線ＬＡＮアクセスポイント装置は、そのような場合に、無線ＬＡＮ端末の状況に合わせて送信出力を制御することはできない。
【００１０】
本発明は、上記事情に鑑み、センサから取得された情報に基づいてクライアント端末の帰属、及びクライアント端末の帰属が可能な範囲を制御可能な無線ネットワーク装置及びその制御方法、並びに無線ネットワークシステムを提供することを目的とする。
【課題を解決するための手段】
【００１１】
上記目的を達成するために、本発明は、センサから検知情報を取得する情報取得部と、クライアント端末との間で無線通信を行う無線通信部と、前記無線通信部を介してクライアント端末から帰属要求を受信し、前記クライアント端末を帰属させる帰属処理を実施する帰属処理部であって、前記検知情報に基づいて前記クライアント端末の帰属の可否を決定する帰属処理部と、前記検知情報に基づいて、前記無線通信部の送信出力を制御する送信出力制御部とを備える無線ネットワーク装置を提供する。
【００１２】
また、本発明は、センサと、それぞれが、帰属したクライアントと端末との間で無線信号の送受信を行う無線通信部を有する第１の無線ネットワーク装置及び第２の無線ネットワーク装置とを備え、前記第１の無線ネットワーク装置又は前記第２の無線ネットワーク装置の一方は、前記センサから取得された検知情報に基づいてクライアント端末を自装置に帰属させると決定し、かつ前記無線通信部から前記クライアント端末に送信される無線信号の送信出力を前記検知情報に基づいて制御する無線ネットワークシステムを提供する。
【００１３】
本発明は、更に、センサから検知情報を取得するステップと、クライアント端末との間で無線通信を行う無線通信部を介してクライアント端末から帰属要求を受信するステップと、前記検知情報に基づいて前記帰属の可否を決定するステップと、前記クライアント端末を帰属させると決定した場合に、前記検知情報に基づいて、前記無線通信部から前記クライアント端末に送信される無線信号の送信出力を制御するステップとを有する無線ネットワーク装置の制御方法を提供する。
【発明の効果】
【００１４】
本発明の無線ネットワーク装置及びその制御方法、並びに無線ネットワークシステムは、センサから取得された情報に基づいてクライアント端末の帰属を制御することができる。また、本発明の無線ネットワーク装置及びその制御方法、並びに無線ネットワークシステムは、センサから取得された検知情報に基づいて、クライアント端末が無線ネットワーク装置に帰属可能な範囲を制御することが可能である。
【図面の簡単な説明】
【００１５】
【図１】本発明の無線ネットワーク装置を示すブロック図。
【図２】本発明の第１実施形態に係る無線ネットワーク装置を示すブロック図。
【図３】ＣＰＵが提供する機能の一部を示す。
【図４】複数の無線ＬＡＮアクセスポイント装置が設置された建物を示す図。
【図５】帰属を許可する無線ＬＡＮアクセスポイント装置を決定するまでの動作手順を示すフローチャート。
【図６】クライアント端末帰属時の動作手順を示すフローチャート。
【図７】本発明の第２実施形態における帰属処理後の動作手順を示すフローチャート。
【図８】第２実施形態に係る無線ネットワーク装置が設置された建物を示す図。
【発明を実施するための形態】
【００１６】
本発明の実施の形態の説明に先立って、本発明の概要について説明する。図１は、本発明の概要を説明するためのブロック図である。無線ネットワーク装置１０は、情報取得部１１、無線通信部１２、帰属処理部１３、及び送信出力制御部１４を備える。情報取得部１１は、センサ１５から検知情報を取得する。センサ１５は、例えば人の存在を検知するセンサである。センサ１５は、複数のセンサを含んで構成されていてもよい。
【００１７】
無線通信部１２は、クライアント端末１６との間で無線通信を行う。クライアント端末１６は、ユーザが所持するネットワーク端末である。クライアント端末１６は、例えば携帯電話機、スマートフォン、タブレット、或いはノート型ＰＣ（personal computer）などとして構成される。
【００１８】
帰属処理部１３は、無線通信部１２を介してクライアント端末１６から帰属要求を受信する。帰属要求とは、例えば無線ネットワーク装置１０に対して接続の確立を要求する要求である。帰属処理部１３は、帰属要求を送信したクライアント端末を無線ネットワーク装置１０に帰属させる帰属処理を実施する。本発明では、帰属処理部１３は、情報取得部１１が取得した検知情報に基づいてクライアント端末１６の帰属の可否を決定する。クライアント端末１６は、帰属処理の完了後、無線ネットワーク装置１０を利用した通信を実施できる。
【００１９】
送信出力制御部１４は、無線通信部１２からクライアント端末１６に送信される無線信号の送信出力（送信電波強度）を制御する。本発明では、送信出力制御部１４は、情報取得部１１が取得した検知情報に基づいて無線通信部１２の送信出力を制御する。
【００２０】
本発明の無線ネットワーク装置では、センサから取得された検知情報に基づいて、クライアント端末１６の帰属の可否が決定される。このようにすることで、無線ネットワーク装置１０は、検知情報に基づいて、クライアント端末１６の無線ネットワーク装置１０に対する帰属を制御できる。また、本発明では、無線通信部１２の送信出力は、検知情報に基づいて制御される。このようにすることで、無線ネットワーク装置１０は、クライアント端末１６が無線ネットワーク装置１０に帰属できる範囲を検知情報に応じて制御できる。
【００２１】
以下、図面を参照しつつ本発明の実施の形態を詳細に説明する。図２は、本発明の第１実施形態に係る無線ネットワーク装置を示す。本実施形態に係る無線ネットワーク装置は、無線ＬＡＮアクセスポイント装置として構成される。無線ＬＡＮアクセスポイント装置１００は、ＣＰＵ１０１、メモリ１０２、不揮発性メモリ１０３、外部ネットワークポート１０４、無線通信部１０５、及びセンサ１０６を有する。無線ＬＡＮアクセスポイント装置１００は、例えばルータ装置又は中継装置として機能する。
【００２２】
無線通信部１０５は、図２では図示を省略するクライアント端末との間で無線通信を行う。無線通信部１０５は、典型的には、低ノイズアンプ、フィルター、パワーアンプ、及びアンテナを含む。なお、図２では、無線通信部１０５が１つ図示されているが、無線通信部１０５の数は任意であり、特に限定されない。無線ＬＡＮアクセスポイント装置１００は、無線通信部１０５を複数有していてもよい。無線通信部１０５は、図１の無線通信部１２に対応する。
【００２３】
センサ１０６は、例えば人に反応して人の存在を検知するセンサである。センサ１０６は、例えば人に反応しているか否かを示すセンサ反応信号を出力する。センサ１０６は、例えば無線ＬＡＮアクセスポイント装置１００の装置本体が設置された場所の入り口に相当する部分に配置される。センサ１０６は、例えば赤外線センサ、温度センサ、又は超音波センサなどのセンサを含む。センサ１０６は人に反応するものであればよく、センサのタイプは特に限定されない。センサ１０６と無線ＬＡＮアクセスポイント装置１００とは、例えば有線ＬＡＮ、赤外線通信手段、或いは無線通信手段などを介して接続されていてもよい。センサ１０６は、図１のセンサ１５に対応する。
【００２４】
ＣＰＵ１０１は、プログラムに従って処理を実行することにより、各種の機能を提供する。ＣＰＵ１０１は、例えば無線ＬＡＮコントローラ１１１、メモリコントローラ１１２、及びＬ２ＳＷ（レイヤ２スイッチ）１１３の機能を提供する。メモリコントローラ１１２は、メモリ１０２及び不揮発性メモリ１０３を制御する。メモリ１０２は、例えばＤＤＲ（Double-Data-Rate）メモリなどの揮発性メモリである。不揮発性メモリ１０３は、例えばフラッシュメモリなどで構成される。Ｌ２ＳＷ１１３は、外部ネットワークポート１０４に接続される。外部ネットワークポート１０４は、例えばバックボーンネットワークであるＷＡＮ（wide area network）又はＬＡＮ（local area network）に接続されるネットワークポートとして構成される。
【００２５】
図３は、ＣＰＵ１０１が提供する機能の一部を示す。ＣＰＵ１０１は、上記した無線ＬＡＮコントローラ１１１、メモリコントローラ１１２、及びＬ２ＳＷ１１３の機能に加えて、情報取得部１１４及び帰属処理部１１５の機能も提供する。なお、図３においては、メモリコントローラ１１２は図示を省略している。また、図３に示されるクライアント端末１０７は、図１のクライアント端末１６に対応する。
【００２６】
情報取得部１１４は、センサ１０６からセンサ反応信号を取得する。情報取得部１１４は、例えば複数のセンサ１０６からセンサ反応信号を受信し、受信したセンサ反応信号に基づいて検知情報を取得する。検知情報は、例えばクライアント端末１６を所持するユーザの移動方向及び移動状態の少なくとも一方を含む。複数のセンサを用いてユーザの移動方向及び移動状態の少なくとも一方を検知情報として取得するのに代えて、それらを取得可能なセンサを１つ用いることとしてもよい。情報取得部１１４は、取得した検知情報を無線ＬＡＮコントローラ１１１と帰属処理部１１５とに送信する。情報取得部１１４は、図１の情報取得部１１に対応する。
【００２７】
無線通信部１０５は、クライアント端末１０７との間で無線信号の送受信を行う。クライアント端末１０７から無線通信部１０５に送信される無線信号は、無線ＬＡＮアクセスポイント装置への帰属要求を含む。無線通信部１０５は、クライアント端末１０７から帰属要求を受信すると、受信した帰属要求を無線ＬＡＮコントローラ１１１に送信する。無線ＬＡＮコントローラ１１１は、受信した帰属要求を帰属処理部１１５に送信する。
【００２８】
帰属処理部１１５は、情報取得部１１４から受信した検知情報に基づいて、帰属の可否、つまり帰属要求に対して応答するか否かを決定する。帰属処理部１１５は、例えば情報取得部１１４が取得した検知情報が、無線通信部１０５の無線通信範囲に人が近づいてきている旨を示す場合は、帰属要求に対して応答すると決定する。帰属処理部１１５は、そうでない場合は、帰属要求に対して応答しないと決定する。帰属処理部１１５は、帰属要求に対して応答すると決定した場合、無線ＬＡＮコントローラ１１１及び無線通信部１０５を通じて、クライアント端末１０７に応答（応答パケット）を送信する。
【００２９】
無線ＬＡＮコントローラ１１１は、図１の送信出力制御部１４としても機能する。無線ＬＡＮコントローラ１１１は、情報取得部１１４が取得した検知情報に基づいて、無線通信部１０５の送信出力を制御する。無線ＬＡＮコントローラ１１１は、例えば検知情報に基づいて、帰属要求を送信したクライアント端末１０７に送信される無線信号の送信出力を、帰属済みのクライアント端末１０７との通信で用いられる通常の送信出力（第１の送信出力）よりも低い送信出力（第２の送信出力）に制御する。このような制御がなされた場合、無線通信部１０５は、通常よりも低い送信出力で、帰属要求を送信したクライアント端末１０７に、帰属要求に対する応答を送信する。クライアント端末１０７が帰属要求に対する応答を受信することで、無線ＬＡＮアクセスポイント装置１００とクライアント端末１０７との間の帰属処理が開始される。クライアント端末１０７が応答を受信できない場合は、帰属要求がタイムアウトする。
【００３０】
クライアント端末１０７は、帰属処理の完了後、無線ＬＡＮアクセスポイント装置１００を利用した通信を実施できる。クライアント端末１０７が送信した信号は、無線通信部１０５から無線ＬＡＮコントローラ１１１を経てＬ２ＳＷ１１３に入力され、外部ネットワークポート１０４から外部のネットワークに送信される。外部のネットワークからクライアント端末１０７に向けて送信される信号は、外部ネットワークポート１０４からＬ２ＳＷ１１３を通じて無線ＬＡＮコントローラ１１１に入力され、無線通信部１０５からクライアント端末１０７に無線送信される。このとき無線通信部１０５は、通常の送信出力でクライアント端末１０７に無線信号を送信する。
【００３１】
本実施形態では、センサ１０６と無線ＬＡＮアクセスポイント装置１００の機能とを連動させる。無線ＬＡＮアクセスポイント装置１００は、センサ１０６から取得された検知情報に基づいてクライアント端末１０７の帰属を許可し、帰属処理を通常よりも低い送信出力で実施する。センサ１０６から取得される検知情報と帰属処理とを連動させることで、常時クライアント端末１０７が帰属できるわけではなく、帰属できるクライアント端末１０７の範囲を制限することができる。
【００３２】
また、本実施形態では、帰属処理が通常よりも低い送信出力で実施される。このようにすることで、無線ＬＡＮアクセスポイント装置１００の送信範囲を狭めることができ、帰属可能なクライアント端末１０７の範囲を意図的に狭くすることができる。送信出力を下げることで、無線信号送信時の電力を削減することができ、省電力化を図ることもできる。また、帰属可能な範囲を制限することができるため、セキュリティを確保することができる。さらに、クライアント端末１０７を所持するユーザを店舗内の任意の範囲に誘導することで、付加価値の提供及び集客効果を得ることができる。
【００３３】
以下、本実施形態に係る無線ＬＡＮアクセスポイント装置１００を複数有する無線ネットワークシステムを、その利用シーンと共に説明する。図４は、無線ネットワークシステムが設置された建物を示す。建物２００は、例えばホテルの客室、又は、カフェ若しくは飲食店などの店舗である。建物２００を利用する客（ユーザ）は、例えばスマートフォンなどのクライアント端末１０７を所持しており、建物２００の入り口２５０から建物２００の中に入る。
【００３４】
図４の例では、無線ネットワークシステムは、無線ＬＡＮアクセスポイント装置２０１と無線ＬＡＮアクセスポイント装置２０２とを有する。無線ＬＡＮアクセスポイント装置２０１及び無線ＬＡＮアクセスポイント装置２０２は、それぞれ図２及び図３を用いて説明した無線ＬＡＮアクセスポイント装置１００と同様な構成を有する。無線ＬＡＮアクセスポイント装置２０１は建物２００内にあるフロアＡ対応して配置され、無線ＬＡＮアクセスポイント装置２０２は、建物２００内にあるフロアＢに対応して配置される。
【００３５】
センサ２０３は、図２及び図３に示されるセンサ１０６に対応する。センサ２０３は、建物２００の入り口２５０の正面に配置される。センサ２０３は、例えばフロアＡとフロアＢとの接続部分に配置される。図４の例では、センサ２０３は、２つの人検知センサ２０４及び２０５を含む。人検知センサ２０４は、センサ反応範囲２１０内に人が存在した場合に、人がセンサに反応した旨を示すセンサ反応信号を出力する。人検知センサ２０５は、センサ反応範囲２２０に人が存在する場合に、人がセンサに反応した旨を示すセンサ反応信号を出力する。センサ反応範囲２１０とセンサ反応範囲２２０とは、互いに重複しないものとする。例えば、人検知センサ２０４と人検知センサ２０５とは、センサ反応範囲が異なるように、設置角度を変えて配置される。あるいは、人検知センサ２０４及び人検知センサ２０５に互いに反応範囲の指向性が異なるセンサを用いてもよい。
【００３６】
無線ＬＡＮアクセスポイント装置２０１及び無線ＬＡＮアクセスポイント装置２０２は、それぞれセンサ２０３に含まれる人検知センサ２０４及び人検知センサ２０５からセンサ反応信号を受信する。無線ＬＡＮアクセスポイント装置２０１及び無線ＬＡＮアクセスポイント装置２０２は、例えば優先ＬＡＮ、赤外線通信手段、又は無線ＬＡＮなどを介して人検知センサ２０４及び人検知センサ２０５と接続される。上記に代えて、無線ＬＡＮアクセスポイント装置２０１が人検知センサ２０４に接続され、無線ＬＡＮアクセスポイント装置２０２が人検知センサ２０５に接続される構成としてもよい。
【００３７】
入り口２５０から建物２００の内部に入ったユーザは、例えば矢印２５１に示す経路に沿って、フロアＡとフロアＢとの接続部分（分岐部分）まで移動する。ユーザが矢印２５２に示す方向に移動すると、ユーザは、センサ２０３に含まれる一方の人検知センサ２０４のセンサ反応範囲２１０を横切る。その場合、人検知センサ２０４は、人に反応した旨を示すセンサ反応信号を無線ＬＡＮアクセスポイント装置２０１と無線ＬＡＮアクセスポイント装置２０２とに送信する。このとき、センサ２０３に含まれる他方の人検知センサ２０５は反応せず、人検知センサ２０５は、人に反応しない旨を示すセンサ反応信号を無線ＬＡＮアクセスポイント装置２０１及び無線ＬＡＮアクセスポイント装置２０２に送信する。
【００３８】
無線ＬＡＮアクセスポイント装置２０１及び無線ＬＡＮアクセスポイント装置２０２は、センサ２０３から、人検知センサ２０４が人に反応し、人検知センサ２０５が人に反応していない旨を示す検知情報を取得する。この検知情報から、ユーザがフロアＡに移動したことがわかる。フロアＡに対応して設置された無線ＬＡＮアクセスポイント装置２０１は、そのような検知情報に基づいて、ユーザが所持するクライアント端末１０７の帰属を許可することを決定する。別の言い方をすれば、無線ＬＡＮアクセスポイント装置２０１は、クライアント端末１０７から帰属要求が送信された場合に、その帰属要求に対して応答することを決定する。
【００３９】
フロアＡへと移動するユーザが所持するクライアント端末１０７は、フロアＡに対応して設置された無線ＬＡＮアクセスポイント装置２０１が送信するビーコンを受信し、無線ＬＡＮアクセスポイント装置２０１に接続要求（帰属要求）を送信する。この帰属要求は、無線ＬＡＮアクセスポイント装置２０１の帰属処理部１１５（図３を参照）に送信される。無線ＬＡＮアクセスポイント装置２０１は、帰属要求に対して応答し、クライアント端末１０７の帰属処理を開始する。
【００４０】
一方、フロアＢに対応して設置された無線ＬＡＮアクセスポイント装置２０２は、検知情報がユーザがフロアＡに移動した旨を示す場合、ユーザが所持するクライアント端末１０７の帰属を許可しないことを決定する。無線ＬＡＮアクセスポイント装置２０２は、クライアント端末１０７が無線ＬＡＮアクセスポイント装置２０２に帰属要求を送信したとしても、その帰属要求に対して応答しない。
【００４１】
無線ＬＡＮアクセスポイント装置２０１の無線ＬＡＮコントローラ１１１（図３などを参照）は、無線通信部１０５から帰属要求を送信したクライアント端末１０７へ送信する無線信号の送信出力を、通常の送信出力よりも低い送信出力にする。無線ＬＡＮアクセスポイント装置２０１は、例えばフロアＡがカバーされる限度において、送信出力を低下させる。図４の例では、無線ＬＡＮアクセスポイント装置２０１は、送信出力を低下させることで、帰属時の送信出力範囲、すなわちクライアント端末１０７が無線ＬＡＮアクセスポイント装置２０１から送信された無線信号を受信可能な範囲を、範囲２３０まで狭める。
【００４２】
ここで、帰属処理時の無線ＬＡＮアクセスポイント装置２０１の無線通信が可能な範囲がフロアＡの外部にも存在する場合、フロアＡの外部に存在する不特定多数のクライアント端末が無線ＬＡＮアクセスポイント装置２０１に接続可能であり、セキュリティ面のリスクが大きくなる。図４の例では、センサ２０３から取得された検知情報がユーザがフロアＡに移動している旨を示す場合にクライアント端末１０７の無線ＬＡＮアクセスポイント装置２０１に対する接続が許可され、そうでない場合は無線ＬＡＮアクセスポイント装置２０１への接続が許可されない。このようにすることで、フロアＡの外部から不特定多数のクライアント端末が無線ＬＡＮアクセスポイント装置２０１に接続することを防ぐことができ、セキュリティの向上が可能である。
【００４３】
また、店舗への集客効果を目的に、無線ＬＡＮアクセスポイント装置２０１への接続を無料で提供する場合に、フロアＡの外部から無線ＬＡＮアクセスポイント装置２０１への接続が可能であるとすると、本来の目的である集客効果が損なわれることになる。ユーザを店舗の中に誘導できなければ、無線ＬＡＮアクセスポイント装置２０１への接続サービスを提供するサービス提供者側にとってメリットが少ない。図４の例では、ユーザは、所持するクライアント端末１０７を無線ＬＡＮアクセスポイント装置２０１へ接続させるためには、いったんフロアＡに移動する必要がある。このようにすることで、無線ＬＡＮアクセスポイント装置２０１への接続サービスを通じて、多くのユーザを店内（フロア）に誘導する効果が期待できる。
【００４４】
帰属処理が完了すると、無線ＬＡＮアクセスポイント装置２０１とクライアント端末１０７との間に論理的なリンク（回線）が確立される。リンクの確立後、無線ＬＡＮアクセスポイント装置２０１は、通常の送信出力で、クライアント端末１０７との間で通信を実施する。無線ＬＡＮアクセスポイント装置２０１は、帰属処理時は無線信号の送信出力を低くし、受信範囲に制限をかける一方、帰属処理の完了後は通常の送信出力で無線信号の送信を行い、受信範囲を制限しない。このようにすることで、帰属完了したクライアント端末１０７は、例えばカフェや飲食店などの店舗内の任意の位置において、無線ＬＡＮアクセスポイント装置２０１への接続サービスを利用できる。
【００４５】
入り口２５０から建物２００の内部に入ったユーザがフロアＡとフロアＢとの接続部分から矢印２５３に示す方向に移動した場合、ユーザは、センサ２０３に含まれる人検知センサ２０５のセンサ反応範囲２２０を横切る。その場合、人検知センサ２０５は、人に反応した旨を示すセンサ反応信号を無線ＬＡＮアクセスポイント装置２０１と無線ＬＡＮアクセスポイント装置２０２とに送信する。このとき、センサ２０３に含まれる人検知センサ２０４は反応せず、人検知センサ２０４は、人に反応しない旨を示すセンサ反応信号を無線ＬＡＮアクセスポイント装置２０１及び無線ＬＡＮアクセスポイント装置２０２に送信する。
【００４６】
無線ＬＡＮアクセスポイント装置２０１及び無線ＬＡＮアクセスポイント装置２０２は、センサ２０３から、人検知センサ２０５が人に反応し、人検知センサ２０４が人に反応していない旨を示す検知情報をとして取得する。この検知情報から、ユーザがフロアＢに移動したことがわかる。フロアＢに対応して設置された無線ＬＡＮアクセスポイント装置２０２は、そのような検知情報に基づいて、ユーザが所持するクライアント端末１０７の帰属を許可することを決定する。別の言い方をすれば、無線ＬＡＮアクセスポイント装置２０２は、クライアント端末１０７から帰属要求が送信された場合に、その帰属要求に対して応答することを決定する。
【００４７】
フロアＢへと移動するユーザが所持するクライアント端末１０７は、フロアＢに対応して設置された無線ＬＡＮアクセスポイント装置２０２が送信するビーコンを受信し、無線ＬＡＮアクセスポイント装置２０２に接続要求（帰属要求）を送信する。この帰属要求は、無線ＬＡＮアクセスポイント装置２０２の帰属処理部１１５（図３を参照）に送信される。無線ＬＡＮアクセスポイント装置２０２は、帰属要求に対して応答し、クライアント端末１０７の帰属処理を開始する。
【００４８】
一方、フロアＡに対応して設置された無線ＬＡＮアクセスポイント装置２０１は、検知情報がユーザがフロアＢに移動した旨を示す場合、ユーザが所持するクライアント端末１０７の帰属を許可しないことを決定する。無線ＬＡＮアクセスポイント装置２０１は、クライアント端末１０７が無線ＬＡＮアクセスポイント装置２０１に帰属要求を送信したとしても、その帰属要求に対して応答しない。
【００４９】
無線ＬＡＮアクセスポイント装置２０２の無線ＬＡＮコントローラ１１１（図３などを参照）は、無線通信部１０５から帰属要求を送信したクライアント端末１０７へ送信する無線信号の送信出力を、通常の送信出力よりも低い送信出力にする。無線ＬＡＮアクセスポイント装置２０２は、例えばフロアＢがカバーされる限度において、送信出力を低下させる。図４の例では、無線ＬＡＮアクセスポイント装置２０２は、送信出力を低下させることで、帰属時の送信出力範囲、すなわちクライアント端末１０７が無線ＬＡＮアクセスポイント装置２０２から送信された無線信号を受信可能な範囲を、範囲２４０まで狭める。
【００５０】
帰属処理が完了すると、無線ＬＡＮアクセスポイント装置２０２とクライアント端末１０７との間に論理的なリンク（回線）が確立される。リンクの確立後、無線ＬＡＮアクセスポイント装置２０２は、通常の送信出力で、クライアント端末１０７との間で通信を実施する。無線ＬＡＮアクセスポイント装置２０２は、帰属処理時は無線信号の送信出力を低くし、受信範囲に制限をかける一方、帰属処理の完了後は通常の送信出力で無線信号の送信を行い、受信範囲を制限しない。このようにすることで、帰属完了したクライアント端末１０７は、例えばカフェや飲食店などの店舗内の任意の位置において、無線ＬＡＮアクセスポイント装置２０２への接続サービスを利用できる。
【００５１】
なお、図４では、センサ２０３が２つの人検知センサ２０４及び２０５を含み、そのようなセンサ２０３を用いて２つの無線ＬＡＮアクセスポイント装置２０１及び２０２が制御される例を示しているが、これには限定されない。センサ２０３が３以上の人検知センサを含んでいてもよく、無線ＬＡＮアクセスポイント装置は、３以上の人検知センサの反応の有無、或いは３以上の人検知センサ反応した順序に応じてユーザの移動方向を細かく判断し、帰属の可否を決定してもよい。ユーザの移動方向を判断することで、ユーザの移動先に設置された無線ＬＡＮアクセスポイント装置のみが、クライアント端末から送信された帰属要求に対して帰属を許可するという制御が実現できる。
【００５２】
続いて、動作手順を説明する。図５は、帰属を許可する無線ＬＡＮアクセスポイント装置を決定するまでの動作手順を示す。センサ２０３（図４を参照）は、人検知センサ２０４及び２０５が出力するセンサ反応信号を、フロアＡに対応して設置された無線ＬＡＮアクセスポイント装置２０１とフロアＢに対応して設置された無線ＬＡＮアクセスポイント装置２０２とに送信する（ステップＡ１）。無線ＬＡＮアクセスポイント装置２０１は、センサ２０３から受信したセンサ反応信号から検知情報を取得する（ステップＡ２）。
【００５３】
無線ＬＡＮアクセスポイント装置２０１は、検知情報が、ユーザがフロアＡに向けて移動している旨を示すか否かを判断する（ステップＡ３）。無線ＬＡＮアクセスポイント装置２０１は、ステップＡ３では、例えば人検知センサ２０４が人に反応している旨を示すセンサ反応信号を出力し、かつ人検知センサ２０５が人に反応していない旨を示すセンサ反応信号を出力している場合に、ユーザがフロアＡに向けて移動していると判断する。
【００５４】
無線ＬＡＮアクセスポイント装置２０１は、ステップＡ３でユーザがフロアＡに向けて移動していると判断すると、クライアント端末１０７の接続を許可する（ステップＡ４）。別の言い方をすると、無線ＬＡＮアクセスポイント装置２０１は、クライアント端末１０７から帰属要求（接続要求）が送信された場合に、その接続要求に対して応答すると決定する。無線ＬＡＮアクセスポイント装置２０１は、ステップＡ３でユーザがフロアＡに向けて移動していないと判断した場合は、クライアント端末１０７の接続を許可しない（ステップＡ５）。つまり、無線ＬＡＮアクセスポイント装置２０１は、クライアント端末１０７から接続要求が送信された場合でも、その接続要求に対して応答しないことを決定する。
【００５５】
一方、無線ＬＡＮアクセスポイント装置２０２は、ステップＡ１でセンサ２０３から送信されたセンサ反応信号から検知情報を取得する（ステップＡ６）。無線ＬＡＮアクセスポイント装置２０２は、検知情報が、ユーザがフロアＢに向けて移動している旨を示すか否かを判断する（ステップＡ７）。無線ＬＡＮアクセスポイント装置２０２は、ステップＡ７では、例えば人検知センサ２０５が人に反応している旨を示すセンサ反応信号を出力し、かつ人検知センサ２０４が人に反応していない旨を示すセンサ反応信号を出力している場合に、ユーザがフロアＢに向けて移動していると判断する。
【００５６】
無線ＬＡＮアクセスポイント装置２０２は、ステップＡ７でユーザがフロアＢに向けて移動していると判断すると、クライアント端末１０７の接続を許可する（ステップＡ８）。別の言い方をすると、無線ＬＡＮアクセスポイント装置２０２は、クライアント端末１０７から接続要求が送信された場合に、その接続要求に対して応答すると決定する。無線ＬＡＮアクセスポイント装置２０２は、ステップＡ７でユーザがフロアＡに向けて移動していないと判断した場合は、クライアント端末１０７の接続を許可しない（ステップＡ９）。つまり、無線ＬＡＮアクセスポイント装置２０２は、クライアント端末１０７から接続要求が送信された場合でも、その接続要求に対して応答しないことを決定する。
【００５７】
図６は、クライアント端末帰属時の動作手順を示す。ここでは、クライアント端末１０７がフロアＡに向けて移動し、無線ＬＡＮアクセスポイント装置２０１がクライアント端末１０７の接続を許可すると決定した場合について説明する。クライアント端末１０７は、無線ＬＡＮアクセスポイント装置２０１と通信可能になると、無線ＬＡＮアクセスポイント装置２０１に接続要求を送信する（ステップＢ１）。クライアント端末１０７は、無線ＬＡＮアクセスポイント装置２０１と通信可能になると自動的に接続要求を送信してもよいし、ユーザ操作に応じて手動で接続要求を送信してもよい。
【００５８】
無線ＬＡＮアクセスポイント装置２０１は、接続要求を受信する（ステップＢ２）。無線ＬＡＮアクセスポイント装置２０１は、クライアント端末１０７の接続を許可しているか否かを判断する（ステップＢ３）。無線ＬＡＮアクセスポイント装置２０１は、図５に示す処理のステップＡ５で接続を許可しないと決定している場合は、接続要求を送信したクライアント端末１０７に応答しないと決定し（ステップＢ４）、処理を終了する。
【００５９】
無線ＬＡＮアクセスポイント装置２０１は、図５に示す処理のステップＡ４で接続を許可すると決定している場合は、ステップＢ１で接続要求を送信したクライアント端末１０７に送信する無線信号の送信出力を通常の送信出力よりも低くする（ステップＢ５）。無線ＬＡＮアクセスポイント装置２０１は、送信出力を低くすることで、接続要求を送信したクライアント端末１０７に送信する無線信号の通信可能範囲を通常の通信可能範囲よりも狭める。無線ＬＡＮアクセスポイント装置２０１は、送信出力を低くした状態で、クライアント端末１０７に接続要求に対する応答を送信する（ステップＢ６）。このようにすることで、クライアント端末１０７の帰属処理は、通常よりも低い送信出力に制御された状態で実施される。
【００６０】
無線ＬＡＮアクセスポイント装置２０１は、ステップＢ５では、例えば自装置が対応するフロアＡがカバーできる程度の範囲において、クライアント端末１０７が送信された無線信号を受信可能となる送信出力まで、送信出力を低下させることが好ましい。その場合、フロアＡに存在するクライアント端末１０７のみが、無線ＬＡＮアクセスポイント装置２０１から送信された無線信号を受信することができ、フロアＡの外部のクライアント端末は接続要求に対する応答を受信することができない。このようにすることで、例えばカフェや飲食店などの店舗内の限定された範囲でのみクライアント端末１０７の帰属処理を完了できる。
【００６１】
なお、無線ＬＡＮアクセスポイント装置２０１は、ステップＢ５では、ステップＢ１で接続要求を送信したクライアント端末１０７に送信する無線信号のみ送信出力を低くすることが好ましい。無線ＬＡＮアクセスポイント装置２０１は、その他のクライアント端末に送信する無線信号の送信出力は低くしない。その場合、帰属中のクライアント端末については、通信可能範囲は狭まらない。
【００６２】
クライアント端末１０７は、無線ＬＡＮアクセスポイント装置２０１から、ステップＢ１で送信した接続要求に対する応答を受信する（ステップＢ７）クライアント端末１０７は、応答を受信すると、帰属処理を開始する（ステップＢ８）。無線ＬＡＮアクセスポイント装置２０１は、ステップＢ６で応答を送信した後、帰属処理を開始する（ステップＢ９）。帰属処理は、クライアント端末１０７と無線ＬＡＮアクセスポイント装置２０１との間で無線信号の送受信を行うことを含む。
【００６３】
無線ＬＡＮアクセスポイント装置２０１は、帰属処理の終了後、クライアント端末１０７に送信する無線信号の送信出力を通常の送信出力に戻す（ステップＢ１０）。無線ＬＡＮアクセスポイント装置２０１は、図５のステップＡ４で接続を許可すると決定してから所定時間の経過後に送信出力を通常の送信出力に戻してもよい。その場合、所定時間は、例えば帰属処理の開始から完了までに要する標準的な時間に応じて設定される。所定時間は必ずしも一定の固定時間である必要はない。
【００６４】
帰属処理が完了すると、無線ＬＡＮアクセスポイント装置２０１はクライアント端末１０７との間の通信を確立し（ステップＢ１１）、クライアント端末１０７は無線ＬＡＮアクセスポイント装置２０１との間の通信を確立する（ステップＢ１２）。無線ＬＡＮアクセスポイント装置２０１とクライアント端末１０７との間で確立した通信は、クライアント端末１０７が無線ＬＡＮアクセスポイント装置２０１の無線通信可能範囲の外に出ると、自動的に切断される。ユーザは、印意のタイミングで切断の操作を行い、無線ＬＡＮアクセスポイント装置２０１とクライアント端末１０７との通信を手動で切断してもよい。
【００６５】
本実施形態では、無線ＬＡＮアクセスポイント装置１００（図２及び図３を参照）は、センサ１０６から取得した検知情報に基づいてクライアント端末の帰属の可否を決定する。例えば検知情報に基づいてユーザの移動先を判断し、移動先に設置された無線ＬＡＮアクセスポイント装置１００のみがクライアント端末１０７の帰属を許可することが実現できる。また、本実施形態では、無線ＬＡＮアクセスポイント装置１００は、検知情報に基づいて、無線通信部１０５の送信出力を制御する。例えば、クライアント端末１０７の帰属時に無線通信部１０５の送信出力を低下させることで、限られた範囲においてクライアント端末１０７を帰属させることができる。
【００６６】
続いて、本発明の第２実施形態を説明する。本実施形態に係る無線ＬＡＮアクセスポイント装置の構成は、図２及び図３に示す第１実施形態に係る無線ＬＡＮアクセスポイント装置１００の構成と同様である。本実施形態に係る無線ＬＡＮアクセスポイント装置１００におけるクライアント端末１０７の帰属時の処理は、第１実施形態で説明したものと同様である。本実施形態では、無線ＬＡＮアクセスポイント装置１００の帰属処理部１１５（図３を参照）は、帰属処理を行った後、センサ１０６から取得した検知情報に基づいて、クライアント端末１０７の帰属先を変更させるか否かを決定する。帰属処理部１１５は、例えばクライアント端末１０７が自装置の位置から離れていき、他の装置に引き継ぐことが適切と判断した場合は、帰属先を変更させると決定する。
【００６７】
無線ＬＡＮコントローラ１１１は、帰属処理部１１５がクライアント端末１０７の帰属先を変更させると決定すると、無線通信部１０５が送信する無線信号の送信出力を、通常の送信出力よりも低い送信出力（第３の送信出力）に低下させる。第３の送信出力は、帰属処理時に低下させた送信出力（第２の送信出力）よりも低いことが好ましい。無線ＬＡＮコントローラ１１１は、無線通信部１０５が送信する無線信号の送信出力が指向性を有する場合は、帰属先を変更させるクライアント端末１０７が存在する方向のみ送信出力を低下させてもよい。その場合、帰属中の他のクライアント端末の通信への影響を最小限に抑えることができる。
【００６８】
次いで、動作手順を説明する。図７は、帰属処理後の動作手順を示す。無線ＬＡＮアクセスポイント装置１００は、センサ１０６からセンサ反応信号を受信し、検知情報を取得する（ステップＣ１）。帰属処理部１１５は、ステップＣ１で取得された検知情報に基づいてクライアント端末１０７の帰属先を変更させるか否かを判断する（ステップＣ１）。帰属処理部１１５が帰属先を変更しないと判断した場合、処理はステップＣ１に戻り、新たな検知情報が取得される。
【００６９】
帰属処理部１１５が帰属先を変更させると判断した場合、無線ＬＡＮコントローラ１１１は、無線通信部１０５が送信する無線信号の送信出力を低下させる（ステップＣ３）。無線ＬＡＮアクセスポイント装置１００は、ステップＣ３では、送信出力を低下させることで、例えば自装置から遠ざかっていくクライアント端末１０７に対して通信の切断を促す。無線ＬＡＮアクセスポイント装置１００が送信出力を下げると、クライアント端末１０７は帰属中の無線ＬＡＮアクセスポイント装置１００との間で通信を維持することが困難となり、通信を切断する（ステップＣ４）。
【００７０】
クライアント端末１０７は、通信を切断した後、再接続を試みる。クライアント端末１０７は、移動先に設置された別の無線ＬＡＮアクセスポイント装置に対して帰属要求を送信する。その無線ＬＡＮアクセスポイント装置が帰属要求に対して応答した後、クライアント端末１０７は無線ＬＡＮアクセスポイント装置に接続する（ステップＣ５）。再接続する無線ＬＡＮアクセスポイント装置は、本実施形態で用いられる無線ＬＡＮアクセスポイント装置１００には限定されず、通常の無線ＬＡＮアクセスポイント装置であってもよい。
【００７１】
以下、本実施形態に係る無線ＬＡＮアクセスポイント装置１００を複数有する無線ネットワークシステムを、その利用シーンと共に説明する。図８は、本発明の第２実施形態に係る無線ネットワークシステムが設置された建物を示す。本実施形態において、無線ネットワークシステムは、無線ＬＡＮアクセスポイント装置２６１と無線ＬＡＮアクセスポイント装置２６２と、中継装置２６３とを有する。無線ＬＡＮアクセスポイント装置２６１及び２６２は、ルータ装置として機能する。
【００７２】
無線ＬＡＮアクセスポイント装置２６１及び無線ＬＡＮアクセスポイント装置２６２は、それぞれ図２及び図３を用いて説明した無線ＬＡＮアクセスポイント装置１００と同様な構成を有する。中継装置２６３は、無線ＬＡＮアクセスポイント装置２６１とクライアント端末１０７との中継を行う装置である。中継装置２６３の構成は、ルータ装置としての機能を有していない点を除けば、無線ＬＡＮアクセスポイント装置２６１と同様である。あるいは、中継装置２６３は通常の中継装置であってもよい。無線ＬＡＮアクセスポイント装置２６１及び中継装置２６３は建物２００内にあるフロアＡ対応して配置され、無線ＬＡＮアクセスポイント装置２６２は、建物２００内にあるフロアＢに対応して配置される。
【００７３】
図８に示すセンサ２６４は、図２及び図３に示されるセンサ１０６に対応する。センサ２６４は、建物２００の入り口２５０の正面に配置される。センサ２６４は、例えばフロアＡとフロアＢとの接続部分に配置される。センサ２６４は、ユーザの移動方向を既知の技術を使用して検知可能なセンサである。図４を用いて説明したものと同様に、センサ２６４が複数のセンサを含む構成であってもよい。
【００７４】
本実施携帯において、無線ＬＡＮアクセスポイント装置２６１及び２６２が、センサ２６４から取得した検知情報に基づいてクライアント端末１０７の帰属の可否、及び帰属時の送信出力の制御を行う点は、第１実施形態で説明したものと同様である。中継装置２６３も、無線ＬＡＮアクセスポイント装置２６１と同様に、センサ２６４から検知情報を取得し、取得した検知情報に基づいて帰属の可否、及び帰属時の送信出力の制御を行う。
【００７５】
例えば、無線ＬＡＮアクセスポイント装置２６１がクライアント端末１０７の帰属を許可し、クライアント端末１０７と接続したとする。無線ＬＡＮアクセスポイント装置２６１は、帰属処理後も、センサ２６４から検知情報を取得する。無線ＬＡＮアクセスポイント装置２６１は、取得した検知情報に基づいて、帰属先を変更させるか否かを判断する。無線ＬＡＮアクセスポイント装置２６１は、この判断では、例えば帰属させたクライアント端末１０７が自装置と直接通信可能であるか、又は中継装置２６３に引き継ぐことが好ましいかを判断する。無線ＬＡＮアクセスポイント装置２６１は、自装置と直接通信可能と判断した場合は、クライアント端末１０７の帰属を継続させる。
【００７６】
無線ＬＡＮアクセスポイント装置２６１は、検知情報に基づいて、例えばクライアント端末１０７が自装置から離れて中継装置２６３の方向へ移動していくと判断した場合に、中継装置２６３に引き継ぐことが好ましいと判断する。無線ＬＡＮアクセスポイント装置２６１は、中継装置２６３に引き継ぐことが好ましいと判断した場合、無線通信部１０５（図２及び図３などを参照）から送信される無線信号の送信出力を、帰属処理時の送信出力よりも低い送信出力に制御する。
【００７７】
無線ＬＡＮアクセスポイント装置２６１が送信出力を低下させると、クライアント端末１０７は無線ＬＡＮアクセスポイント装置２６１との通信を維持することが困難となり、通信を切断する。通信の切断後、クライアント端末１０７は再接続を試みる。再接続において、クライアント端末１０７は、移動先の中継装置２６３が送信するビーコンを受信し、中継装置２６３に対して帰属を要求する。クライアント端末１０７と中継装置２６３との間の通信が確立すると、クライアント端末１０７は、中継装置２６３を通じて通信を継続することが可能である。無線ＬＡＮアクセスポイント装置２６１は、クライアント端末１０７が中継装置２６３を介してクライアント端末１０７から通信接続完了を検知し、送信出力を通常の送信出力に戻す。
【００７８】
なお、無線ＬＡＮアクセスポイント装置２６１は、中継装置２６３に引き継ぐことが好ましいと判断した場合に送信出力を低下させる例を説明したが、これに代えて、又は加えて、クライアント端末１０７との接続を強制的に切断してもよい。無線ＬＡＮアクセスポイント装置２６１は、例えばクライアント端末１０７が通信中か否かを判断する。無線ＬＡＮアクセスポイント装置２６１は、クライアント端末１０７が通信中である場合は、無線信号の送信出力を低くする。無線ＬＡＮアクセスポイント装置２６１は、クライアント端末１０７が通信中ではないことを確認した上で、クライアント端末１０７との接続を強制切断する。
【００７９】
図８においては、無線ＬＡＮアクセスポイント装置２６１とクライアント端末１０７との通信を中継する中継装置は中継装置２６３のみである例を説明したが、無線ネットワークシステムは複数の中継装置を有していてもよい。その場合、クライアント端末１０７の移動方向において最適となる中継装置に再接続させることも可能である。無線ＬＡＮアクセスポイント装置２６１は、中継装置２６３に引き継ぐことが好ましいか否かを判断するだけでなく、他の無線ＬＡＮアクセスポイント装置２６２に引き継ぐことが好ましいか否かを判断してもよい。また、無線ネットワークシステムは、無線ＬＡＮアクセスポイント装置２６２とクライアント端末１０７との通信を中継する中継装置を更に有していてもよい。
【００８０】
本実施形態では、無線ＬＡＮアクセスポイント装置１００（図２及び図３を参照）は、検知情報に基づいて、帰属しているクライアント端末１０７の帰属先を変更させるか否かを判断する。帰属先を変更させると決定した場合、無線ＬＡＮアクセスポイント装置１００は、例えば送信出力を下げるなどしてクライアント端末１０７との通信を切断させる。切断されたクライアント端末１０７は、再接続する際に、通信環境が最もよい装置に接続することができる。本実施形態では、例えば無線ＬＡＮアクセスポイント装置１００とクライアント端末１０７との間を中継する中継装置が存在する場合、無線ＬＡＮアクセスポイント装置１００はクライアント端末１０７の帰属先を中継装置に変更させることが可能である。このようにすることで、クライアント端末１０７は、最適な通信環境の提供を受けることが可能となる。
【００８１】
なお、上記各実施形態では、センサ１０６は無線ＬＡＮアクセスポイント装置１００から離れた位置に設置される例を説明したが、これには限定されない。センサ１０６は、無線ＬＡＮアクセスポイント装置１００の装置本体に一体化されていてもよい。あるいは、複数のセンサ１０６が用いられる場合に、複数のセンサが、無線ＬＡＮアクセスポイント装置１００から離れた位置に設置されるセンサと、装置本体に一体化されたセンサとを含むこととしてもよい。
【００８２】
例えば、図４において、無線ＬＡＮアクセスポイント装置２０１は、前面に設けられた人感センサ（人検知センサ）を更に有していてもよい。無線ＬＡＮアクセスポイント装置２０１は、センサ２０３からセンサ反応信号を受信することに加えて、自装置の前面に設けられ人感センサからセンサ反応信号を取得する。その場合、無線ＬＡＮアクセスポイント装置２０１は、図５のステップＡ４で接続が許可されていることに加えて、前面に設けられた人感センサが反応している場合に図６のステップＢ５以降の処理を行い、クライアント端末１０７を帰属させてもよい。ステップＡ４で接続が許可されている場合であっても、前面に設けられた人感センサが反応していない場合には、ステップＢ４に進み、接続要求に対して応答しないこととしてもよい。
【００８３】
また、無線ＬＡＮアクセスポイント装置１００が前面に設けられた人感センサ（人検知センサ）を有する場合、無線ＬＡＮアクセスポイント装置１００は、その人感センサのセンサ反応信号を用いて、帰属したクライアント端末１０７に対するデータ通信を制御してもよい。例えば、無線ＬＡＮコントローラ１１１（図２及び図３を参照）は、帰属処理の完了後、人感センサが人に反応していない旨を示すセンサ反応信号を出力する場合は、無線通信部１０５を制御して、クライアント端末１０７と無線通信部１０５との間のデータフレームの送受信を制限する。データフレームの送受信が制限されている間、クライアント端末１０７の帰属状態は維持され、クライアント端末１０７と無線通信部１０５との間では、データフレーム以外の送受信、例えば制御フレーム及び管理フレームの送受信が許可される。このようにすることで、クライアント端末１０７がデータ通信可能な範囲を、人感センサが反応する範囲に制限することができる。
【００８４】
上記各実施形態では、センサ１０６は、人に反応している旨を示すセンサ反応信号と、人に反応していない旨を示すセンサ反応信号とを出力することとして説明したが、何れか一方のセンサ反応信号は省略してもよい。例えば、センサ１０６は、センサが反応する範囲に人が存在する場合に人に反応している旨を示すセンサ反応信号を出力し、人が存在しない場合にはセンサ反応信号を出力しないこととしてもよい。その場合、センサ反応信号が出力されていないことは、人に反応していない旨を示すセンサ反応信号が出力されているとみなすことができる。逆に、センサ１０６は、センサが反応する範囲に人が存在しない場合に人に反応していない旨を示すセンサ反応信号を出力し、人が存在する場合にはセンサ反応信号を出力しないこととしてもよい。その場合、センサ反応信号が出力されていないことは、人に反応している旨を示すセンサ反応信号が出力されているとみなすことができる。
【００８５】
本発明は上記実施の形態に限られたものではなく、趣旨を逸脱しない範囲で適宜変更することが可能である。
【００８６】
例えば、上記の実施形態の一部又は全部は、以下の付記のようにも記載され得るが、以下には限られない。
【００８７】
[付記１]
センサから検知情報を取得する情報取得部と、
クライアント端末との間で無線通信を行う無線通信部と、
前記無線通信部を介してクライアント端末から帰属要求を受信し、前記クライアント端末を帰属させる帰属処理を実施する帰属処理部であって、前記検知情報に基づいて前記クライアント端末の帰属の可否を決定する帰属処理部と、
前記検知情報に基づいて、前記無線通信部の送信出力を制御する送信出力制御部とを備える無線ネットワーク装置。
【００８８】
[付記２]
前記検知情報は、前記クライアント端末の移動方向及び移動状態の少なくとも一方を含む付記１に記載の無線ネットワーク装置。
【００８９】
[付記３]
前記無線通信部は、帰属済みのクライアント端末に対して第１の送信出力で無線信号を送信し、
前記送信出力制御部は、前記検知情報に基づいて、前記帰属要求を送信したクライアント端末に送信される無線信号の送信出力を、前記第１の送信出力よりも低い第２の送信出力に制御する付記１又は２に記載の無線ネットワーク装置。
【００９０】
[付記４]
前記帰属処理部は、前記帰属処理を行った後、前記検知情報に基づいて前記クライアント端末の帰属先を変更させるか否を決定する付記１又は２に記載の無線ネットワーク装置。
【００９１】
[付記５]
前記無線通信部は、帰属済みのクライアント端末に対して第１の送信出力で無線信号を送信し、
前記送信出力制御部は、前記検知情報に基づいて、前記帰属要求を送信したクライアント端末に送信される無線信号の送信出力を、前記第１の送信出力よりも低い第２の送信出力に制御する付記４に記載の無線ネットワーク装置。
【００９２】
[付記６]
前記送信出力制御部は、前記帰属処理部が前記クライアント端末の帰属先を変更させると決定すると、当該クライアント端末に送信する無線信号の送信出力を、前記第１の送信出力よりも低い第３の送信出力に制御する付記５に記載の無線ネットワーク装置。
【００９３】
[付記７]
前記第３の送信出力は、前記第２の送信出力よりも低い付記６に記載の無線ネットワーク装置。
【００９４】
[付記８]
前記送信出力制御部は、前記帰属処理部が前記クライアント端末の帰属先を変更させると決定すると、当該クライアント端末と前記無線通信部との間の通信を切断させる付記４又は５に記載の無線ネットワーク装置。
【００９５】
[付記９]
前記送信出力制御部は、前記クライアント端末が前記無線通信部との間でデータ通信中であるか否かを調べ、データ通信中でない場合に前記通信を切断させる付記８に記載の無線ネットワーク装置。
【００９６】
[付記１０]
センサと、
それぞれが、帰属したクライアントと端末との間で無線信号の送受信を行う無線通信部を有する第１の無線ネットワーク装置及び第２の無線ネットワーク装置とを備え、
前記第１の無線ネットワーク装置又は前記第２の無線ネットワーク装置の一方は、前記センサから取得された検知情報に基づいてクライアント端末を自装置に帰属させると決定し、かつ前記無線通信部から前記クライアント端末に送信される無線信号の送信出力を前記検知情報に基づいて制御する無線ネットワークシステム。
【００９７】
[付記１１]
前記第１の無線ネットワーク装置又は前記第２の無線ネットワーク装置の一方は、前記クライアント端末を帰属させた後、前記検知情報に基づいて前記クライアント端末の帰属先を前記第１の無線ネットワーク装置又は前記第２の無線ネットワーク装置の他方に変更させるか否を決定する付記１０に記載の無線ネットワークシステム。
【００９８】
[付記１２]
前記第１の無線ネットワーク装置又は前記第２の無線ネットワーク装置の一方は、帰属させるクライアント端末に送信される無線信号の送信出力を、帰属済みのクライアント端末に送信される無線信号の送信出力である第１の送信出力よりも低い第２の送信出力に制御する付記１１に記載の無線ネットワークシステム。
【００９９】
[付記１３]
前記第１の無線ネットワーク装置又は前記第２の無線ネットワーク装置の一方は、前記クライアント端末の帰属先を前記第１の無線ネットワーク装置又は前記第２の無線ネットワーク装置の他方に変更させると決定すると、当該クライアント端末に送信する無線信号の送信出力を、前記第１の送信出力よりも低い第３の送信出力に制御する付記１２に記載の無線ネットワークシステム。
【０１００】
[付記１４]
前記第３の送信出力は、前記第２の送信出力よりも低い付記１３に記載の無線ネットワークシステム。
【０１０１】
[付記１５]
前記第１の無線ネットワーク装置又は前記第２の無線ネットワーク装置の一方は、前記クライアント端末の帰属先を前記第１の無線ネットワーク装置又は前記第２の無線ネットワーク装置の他方に変更させると決定すると、当該クライアント端末と前記無線通信部との間の通信を切断させる付記１１又は１２に記載の無線ネットワークシステム。
【０１０２】
[付記１６]
前記第１の無線ネットワーク装置又は前記第２の無線ネットワーク装置の一方は、前記クライアント端末が前記無線通信部との間でデータ通信中であるか否かを調べ、データ通信中でない場合に前記通信を切断させる付記１５に記載の無線ネットワークシステム。
【０１０３】
[付記１７]
センサから検知情報を取得するステップと、
クライアント端末との間で無線通信を行う無線通信部を介してクライアント端末から帰属要求を受信するステップと、
前記検知情報に基づいて前記帰属の可否を決定するステップと、
前記クライアント端末を帰属させると決定した場合に、前記検知情報に基づいて、前記無線通信部から前記クライアント端末に送信される無線信号の送信出力を制御するステップとを有する無線ネットワーク装置の制御方法。
【０１０４】
[付記１８]
無線ネットワーク装置を制御するためのプログラムであって、コンピュータに、
センサから検知情報を取得するステップと、
クライアント端末との間で無線通信を行う無線通信部を介してクライアント端末から帰属要求を受信するステップと、
前記検知情報に基づいて前記帰属の可否を決定するステップと、
前記クライアント端末を帰属させると決定した場合に、前記検知情報に基づいて、前記無線通信部から前記クライアント端末に送信される無線信号の送信出力を制御するステップとを実行させるためのプログラム。
【符号の説明】
【０１０５】
１０：無線ネットワーク装置
１１：情報取得部
１２：無線通信部
１３：帰属処理部
１４：送信出力制御部
１５：センサ
１６：クライアント端末
１００：無線ＬＡＮアクセスポイント装置
１０２：メモリ
１０３：不揮発性メモリ
１０４：外部ネットワークポート
１０５：無線通信部
１０６：センサ
１０７：クライアント端末
１１１：無線ＬＡＮコントローラ
１１２：メモリコントローラ
１１３：レイヤ２スイッチ（Ｌ２ＳＷ）
１１４：情報取得部
１１５：帰属処理部
２００：建物
２０１、２０２：無線ＬＡＮアクセスポイント装置
２０３：センサ
２０４、２０５：人検知センサ
２０５：人検知センサ
２１０、２２０：センサ反応範囲
２３０、２４０：範囲
２５０：入り口
２６１、２６２：無線ＬＡＮアクセスポイント装置
２６３：中継装置
２６４：センサ
【図１】
0006358666.tif 000002
【図２】
0006358666.tif 000003
【図３】
0006358666.tif 000004
【図４】
0006358666.tif 000005
【図５】
0006358666.tif 000006
【図６】
0006358666.tif 000007
【図７】
0006358666.tif 000008
【図８】
0006358666.tif 000009